(57)【要約】      （修正有）【課題】要求される均一な特性を持つ液晶表示装置を大量に製造する時に、調整にかかる手間や時間を削減することができる液晶表示装置の調整方法及び調整装置を提供する。【解決手段】液晶表示装置の製造上の特性バラツキを調整する調整方法であって、所定台数の液晶表示装置の製造上の特性バラツキを測定し、測定した特性バラツキをグループに分類し、分類した各グループの代表的な液晶表示装置の色補正手段を用いて補正パラメータを算出する補正パラメータ算出ステップと、液晶表示装置の製造時、当該液晶表示装置がどのグループに分類されるか特定し、特定したグループの補正パラメータを当該液晶表示装置に適用する調整ステップとを含む。【選択図】図４
2017146513.tif 000002
【特許請求の範囲】
【請求項１】
液晶表示装置の製造上の特性バラツキを調整する調整方法であって、
所定台数の液晶表示装置の製造上の特性バラツキを測定し、測定した特性バラツキをグループに分類し、分類した各グループの代表的な液晶表示装置の色補正手段を用いて補正パラメータを算出する補正パラメータ算出ステップと、
液晶表示装置の製造時、当該液晶表示装置がどのグループに分類されるか特定し、特定したグループの補正パラメータを当該液晶表示装置に適用する調整ステップと
を含むことを特徴とする液晶表示装置の調整方法。
【請求項２】
前記補正パラメータ算出ステップでは、液晶表示装置に特定の色の画像を表示させて光学センサーから三刺激値を取得し、取得した三刺激値に基づいて色度座標を測定し、測定した色度座標をグループに分類し、分類した各グループの中から代表的な液晶表示装置を特定し、特定した各グループの代表的な液晶表示装置の色補正手段を用いて補正パラメータをグループごとに算出することを特徴とする請求項１に記載の液晶表示装置の調整方法。
【請求項３】
前記補正パラメータ算出ステップでは、最小色度座標と最大色度座標を結んだ直線の距離をバラツキの範囲とし、そのバラツキの範囲を要求される品質の距離で割った整数を必要グループ数とし、その必要グループ数でバラツキの範囲を分割し、最小色度座標から最大色度座標を結ぶ線上にグループ数分の仮目標座標を設定し、各仮目標座標に最も近い色度座標を持つ液晶表示装置を各グループの代表的な液晶表示装置とすることを特徴とする請求項２に記載の液晶表示装置の調整方法。
【請求項４】
前記補正パラメータ算出ステップは、事前に統計学上有効な所定台数の液晶表示装置についてだけ実施されることを特徴とする請求項１〜３のいずれか１項に記載の液晶表示装置の調整方法。
【請求項５】
液晶表示装置の製造上の特性バラツキを調整する調整装置であって、
所定台数の液晶表示装置の製造上の特性バラツキを測定し、測定した特性バラツキをグループに分類し、分類した各グループの代表的な液晶表示装置の色補正手段を用いて補正パラメータを算出する補正パラメータ算出部と、
液晶表示装置の製造時、当該液晶表示装置がどのグループに分類されるか特定し、特定したグループの補正パラメータを当該液晶表示装置に適用する調整部と
を備えることを特徴とする液晶表示装置の調整装置。
【発明の詳細な説明】
【技術分野】
【０００１】
本発明は、液晶表示装置の製造上の特性バラツキを吸収して均一な特性に調整する液晶表示装置の調整方法及び調整装置に関する。
【背景技術】
【０００２】
従来、液晶表示装置の製造ラインでは、液晶表示装置間の製造上の特性バラツキを吸収して均一な特性に調整することが行われている（特許文献１、２）。例えば、ホワイトバランス調整では、Ｒ映像信号とＧ映像信号とＢ映像信号からなる基準映像（テストパターン）を液晶表示装置に表示させ、その表示画面上の色度を測定し、測定した色度が許容範囲内に収まるように、Ｒ，Ｇ，Ｂの各値を調整するための調整値を設定する。
【先行技術文献】
【特許文献】
【０００３】
【特許文献１】特開２０１０−１４５４３５号公報
【特許文献２】特開２０１２−０７８３７３号公報
【発明の概要】
【発明が解決しようとする課題】
【０００４】
ここで、特許文献１では、「前記切替信号の接続に応じて複数の前記変換テーブルのうちの一つの変換テーブルを選択する切替手段を前記駆動回路が有する」構成を採用している（請求項１５参照）。そのため、特許文献１では、複数の変換テーブルを必要とする問題がある。
【０００５】
また、特許文献２では、「複数の画素と、外部から入力される映像信号に対応した階調信号を生成し前記画素に供給する駆動回路とを有する表示装置の色度調整方法であって、色度領域を、色度補正を必要としない第１領域と、色度補正を必要とする第２領域とに分割し、前記第２領域を複数の補正領域に分割し、前記表示装置は、前記複数の補正領域の各々に対応する色度補正手段を備えており、前記表示装置に表示された画像の色度座標を計測するステップと、前記計測された色度座標を判定し、前記第１領域内の色度座標か前記第２領域内の色度座標かを判定するステップとを有し、前記計測された色度座標が前記第２領域内の色度座標である場合には、前記色度座標が前記複数の補正領域の何れの領域であるかを判定するステップと、判定された前記補正領域に対応する色度補正手段を用いて、前記映像信号に対応する前記階調信号を補正し、補正された画像表示を行うステップと、を有する」構成を採用している（請求項１参照）。すなわち、特許文献２では、複数の補正領域に分割するが、分割が単純で無駄が多いという問題がある。
【０００６】
本発明は、上述した従来の技術に鑑み、要求される均一な特性を持つ液晶表示装置を大量に製造する時に、調整にかかる手間や時間を削減することができる液晶表示装置の調整方法及び調整装置を提供することを目的とする。
【課題を解決するための手段】
【０００７】
上記目的を達成するため、第１の態様に係る発明は、液晶表示装置の製造上の特性バラツキを調整する調整方法であって、所定台数の液晶表示装置の製造上の特性バラツキを測定し、測定した特性バラツキをグループに分類し、分類した各グループの代表的な液晶表示装置の色補正手段を用いて補正パラメータを算出する補正パラメータ算出ステップと、液晶表示装置の製造時、当該液晶表示装置がどのグループに分類されるか特定し、特定したグループの補正パラメータを当該液晶表示装置に適用する調整ステップとを含むことを要旨とする。
【０００８】
第２の態様に係る発明は、前記補正パラメータ算出ステップで、液晶表示装置に特定の色の画像を表示させて光学センサーから三刺激値を取得し、取得した三刺激値に基づいて色度座標を測定し、測定した色度座標をグループに分類し、分類した各グループの中から代表的な液晶表示装置を特定し、特定した各グループの代表的な液晶表示装置の色補正手段を用いて補正パラメータをグループごとに算出することを要旨とする。
【０００９】
第３の態様に係る発明は、前記補正パラメータ算出ステップで、最小色度座標と最大色度座標を結んだ直線の距離をバラツキの範囲とし、そのバラツキの範囲を要求される品質の距離で割った整数を必要グループ数とし、その必要グループ数でバラツキの範囲を分割し、最小色度座標から最大色度座標を結ぶ線上にグループ数分の仮目標座標を設定し、各仮目標座標に最も近い色度座標を持つ液晶表示装置を各グループの代表的な液晶表示装置とすることを要旨とする。
【００１０】
第４の態様に係る発明は、前記補正パラメータ算出ステップが、事前に統計学上有効な所定台数の液晶表示装置についてだけ実施されることを要旨とする。
【００１１】
第５の態様に係る発明は、液晶表示装置の製造上の特性バラツキを調整する調整装置であって、所定台数の液晶表示装置の製造上の特性バラツキを測定し、測定した特性バラツキをグループに分類し、分類した各グループの代表的な液晶表示装置の色補正手段を用いて補正パラメータを算出する補正パラメータ算出部と、液晶表示装置の製造時、当該液晶表示装置がどのグループに分類されるか特定し、特定したグループの補正パラメータを当該液晶表示装置に適用する調整部とを備えることを要旨とする。
【発明の効果】
【００１２】
本発明によれば、要求される均一な特性を持つ液晶表示装置を大量に製造する時に、調整にかかる手間や時間を削減することができる液晶表示装置の調整方法及び調整装置を提供することが可能である。
【図面の簡単な説明】
【００１３】
【図１】本発明の実施の形態に係る調整システムの適用場面を示す図であり、（ａ）第１の製造ライン、（ｂ）第２の製造ライン。
【図２】本発明の実施の形態に係る調整システムの機能ブロック図である。
【図３】本発明の実施形態における３次元ＬＵＴの一例を示す図であり、（ａ）赤に対応したＬＵＴ、（ｂ）緑に対応したＬＵＴ、（ｃ）青に対応したＬＵＴ。
【図４】本発明の実施の形態に係る調整方法を示す流れ図である。
【図５】本発明の実施の形態に係る仮目標座標のイメージ図である。
【図６】本発明の実施の形態に係る補正テーブルの一例を示す図である。
【図７】本発明の実施の形態に係る各補正パラメータを設定した結果のイメージ図である。
【発明を実施するための形態】
【００１４】
以下、図面を参照して本発明の一実施形態を説明する。調整する構造に関する図面は模式的なものであり、現実のものとは異なる。また、図面相互間においても互いの寸法の関係や比率が異なる部分が含まれている。
【００１５】
（概要）
色補正手段を持つ液晶表示装置には製造上の特性バラツキがある。本発明の実施の形態では、液晶表示装置のバラツキ特性に規則性があることに着目し、色度座標から補正パラメータを判断する手間と時間を省略する。
【００１６】
具体的には、特性バラツキにはある程度規則性があることから、製造する前に事前に統計学上有効な台数の液晶表示装置についてだけ測定し、その測定結果から特性バラツキを要求される品質を鑑みて各グループに分類する。その分類された各グループの中で代表的な液晶表示装置を特定し、各グループの代表的な液晶表示装置の色補正手段を用いて補正パラメータをグループごとに算出する。これにより、大量に液晶表示装置を製造する時、どのグループに分類される液晶表示装置であるか測定し、それに対応した補正パラメータを適用することができる。その結果、品質上均一な特性を持つ液晶表示装置を大量に製造する時でも、全ての液晶表示装置について色度座標から補正パラメータを算出する必要がないので、調整にかかる手間や時間を削減することが可能である。
【００１７】
（適用場面）
図１は、本発明の実施の形態に係る調整システムの適用場面を示す図である。ここでは、タブレット等の液晶表示装置２０の製造ラインを例示している。このような製造ラインでは、液晶表示装置２０の製造上の特性バラツキを吸収して均一な特性に調整することにより、歩留まり低下を改善し、統一された品質を提供することが求められる。
【００１８】
図１（ａ）は、第１の製造ラインを示している。第１の製造ラインは、事前に補正パラメータを算出しておくための製造ラインである。具体的には、図１（ａ）に示すように、第１の搬送装置４１において、事前に統計学上有効な標本台数（例えば２０台）の液晶表示装置２０が順次搬送されている。液晶表示装置２０に所定のテストパターンを表示させ、その表示画面上の色度を光学センサー３１で測定し、その測定結果に基づいて補正パラメータを算出し、補正テーブルを生成するようになっている。
【００１９】
図１（ｂ）は、第２の製造ラインを示している。第２の製造ラインは、事前に算出しておいた補正パラメータを用いて大量の液晶表示装置２０を調整するための製造ラインである。具体的には、図１（ｂ）に示すように、第２の搬送装置４２において、大量（例えば１０００台）の液晶表示装置２０が順次搬送されている。液晶表示装置２０に所定のテストパターンを表示させ、その表示画面上の色度を前段の光学センサー３２で測定し、その測定結果に基づいて補正テーブルを参照し、その液晶表示装置２０に対応する補正パラメータを設定する。その後、後段の光学センサー３３を用いて良品又は不良品の出荷検査を実施するようになっている。
【００２０】
図１では、第１の搬送装置４１と第２の搬送装置４２とを別々に描いているが、同一の搬送装置を用いることも可能である。また、３つの光学センサー３１，３２，３３を別々に描いているが、同一の光学センサーを用いることも可能である。以下の説明では、３つの光学センサー３１，３２，３３を特に区別することなく「光学センサー３０」という場合がある。
【００２１】
（構成例）
図２は、本発明の実施の形態に係る調整システムの機能ブロック図である。この調整システムは、液晶表示装置２０の製造上の特性バラツキを調整するシステムであって、図２に示すように、調整装置１０と、光学センサー３０とを備える。
【００２２】
液晶表示装置２０は、色変換用の３次元ＬＵＴ２１と、液晶パネル等の表示部２２とを備える。３次元ＬＵＴ２１は、Ｒ（赤）、Ｇ（緑）、Ｂ（青）それぞれに対応したＬＵＴを備える。各ＬＵＴは、入力された映像信号より表現される入力階調と、その入力階調に対応する表示部２２への入力レベル（出力値）とを関連づけている。３次元ＬＵＴ２１は、例えば、入力階調が８ビットで構成され、０から２５５の２５６階調それぞれに対応する２５６個のエントリに、８ビットで表現される出力階調（出力値）を格納している。
【００２３】
光学センサー３０は、人間の目に対応する分光感度と略同一の感度を有する３つのセンサーを備え、三刺激値と称されるＸ、Ｙ、Ｚの３つの値を測定する装置である。光学センサー３０は、表示部２２の表示面に対して着脱自在に構成されている。
【００２４】
調整装置１０は、液晶表示装置２０の製造上の特性バラツキを調整する装置であって、機能的には、色度座標測定部１１と、制御部１２と、入力部１３と、記憶部１４とを備える。制御部１２には、調整部１２Ａと、補正パラメータ算出部１２Ｂとが含まれる。
【００２５】
記憶部１４は、各種の情報を記憶する記憶装置である。記憶部１４には、標本台数や、要求される品質等の情報が記憶される。標本台数は、統計学上有効な標本となりえる台数（例えば２０台）である。要求される品質は、調整後の液晶表示装置２０に要求される品質である。
【００２６】
入力部１３は、各種の情報を入力するための入力装置である。例えば、標本台数や、要求される品質を入力部１３から入力し、記憶部１４に記憶するようになっている。
【００２７】
色度座標測定部１１は、色度座標を測定する処理部である。光学センサー３０により三刺激値が取得されると、その三刺激値に基づいて色度座標を算出し、制御部１２に渡す。
【００２８】
制御部１２は、色度座標測定部１１により測定された色度座標に基づいて各種の制御を行う処理部である。補正パラメータ算出部１２Ｂは、補正パラメータを算出し、補正テーブルを生成し、記憶部１４に記憶する。調整部１２Ａは、記憶部１４に記憶された補正テーブルから補正パラメータを読み出し、液晶表示装置２０に設定する。
【００２９】
（三刺激値）
以下、三刺激値について更に詳しく説明する。
【００３０】
目は光を受けると、赤、緑、青の成分に分けて大脳に伝える。大脳は、これを総合判断して色を認知している。例えば、黒板の緑色は理想的な白に比べて、赤みに感じる成分が５．５、緑みに感じる成分が７．０、青みに感じる成分が７．２というように数値で表す。この表色手法はＣＩＥの表色方法といい、国際規格（ＣＩＥ／ＩＳＯ）に制定されている。この三つの成分は、三刺激値ＸＹＺという心理物理量である。すなわち、色をＸＹＺの三次元の座標値で表現する。一般的な測色器械は、物体からの反射光を分光して波長ごとの分光反射率を計測し、規格に定められている計算方法によって、三刺激値ＸＹＺに計算してアウトプットするようになっている。
【００３１】
（ルックアップテーブル）
以下、ルックアップテーブル（ＬＵＴ）について更に詳しく説明する。
【００３２】
ルックアップテーブルとは、複雑な計算処理を単純な配列の参照処理で置き換えて効率化を図るために作られた、配列や連想配列などのデータ構造のことをいう。例えば、大きな負担がかかる処理をコンピュータに行わせる場合、あらかじめ計算できるデータは先に計算しておき、その値を配列（ルックアップテーブル）に保存しておく。コンピュータは、その都度計算を行う代わりに配列から目的のデータを取り出すことによって計算の負担を軽減し、効率よく処理を行うことができる。
【００３３】
図３は、本発明の実施形態における３次元ＬＵＴ２１の一例を示す図である。図３（ａ）は、Ｒ（赤）に対応したＬＵＴを示し、図３（ｂ）は、Ｇ（緑）に対応したＬＵＴを示し、図３（ｃ）は、Ｂ（青）に対応したＬＵＴを示している。
【００３４】
この図に示すように、３次元ＬＵＴ２１は、３つのＬＵＴを備え、それぞれ赤、緑、青の入力に対応する。例えば、赤、緑、青それぞれに２５４が入力された場合、赤については２３９を出力し、緑については２５４を出力し、青については２５０を出力する。
【００３５】
３次元ＬＵＴ２１の構成はこれに限定されるものではない。例えば、ＲＧＢに対応した３次元ＬＵＴ２１に代えて、ＨＬＳに対応した３次元ＬＵＴ２１を採用することもできる。階調についても、２５６階調に限定されないのはもちろんである。
【００３６】
（調整方法）
図４は、本発明の実施の形態に係る調整システムが液晶表示装置２０を調整（製造）する場合の調整方法を示す流れ図である。以下、図４を用いて本調整方法を具体的に説明する。
【００３７】
まず、製造する液晶表示装置２０に特定の色（例えば白色）を表示し、光学センサー３０から三刺激値Ｘ，Ｙ，Ｚを取得し、以下のように色度座標ｘ，ｙを計算する（Ｓ１）。
【００３８】
【数１】
2017146513.tif 000003
次に、記憶部１４に補正テーブル（補正パラメータ）があるかどうか判定する（Ｓ２）。補正テーブルがない場合、色度座標ｘ，ｙを記憶部１４に記憶し、標本台数が揃うまで、製造する液晶表示装置２０を一時的に貯めておく（Ｓ３→Ｓ４→Ｓ１→Ｓ２→Ｓ３→・・・）。
【００３９】
標本台数が揃ったら、その全ての色度座標のうち、原点（ゼロ）から一番近い座標を最小色度座標とし、一番遠い座標を最大座標とする（Ｓ５）。最小色度座標と最大色度座標を結んだ直線の距離を以下のように計算し、バラツキの範囲とする（Ｓ６）。
【００４０】
【数２】
2017146513.tif 000004
次に、算出したバラツキの範囲を要求される品質の距離で割った整数を必要グループ数とする（Ｓ７）。必要グループ数でバラツキの範囲を分割し、最小色度座標から最大色度座標を結ぶ線上にグループ数分の仮目標座標を以下のように計算する（Ｓ８）。
【００４１】
【数３】
2017146513.tif 000005
図５は、以下の条件の場合の仮目標座標の計算結果を示している。
【００４２】
例えば、最小色度座標（ｘ、ｙ）＝（０．２９５，０．３３４）であり、最大色度座標（ｘ、ｙ）＝（０．３０３，０．３５１）であるとすると、バラツキの範囲＝０．０１９３３５となり、要求される品質が０．００５であるとすると、グループ数＝０．０１９３３５÷０．００５＝３．８≒３となる。
【００４３】
【数４】
2017146513.tif 000006
各仮目標座標に最も近い色度座標を持つ液晶表示装置２０を検索し、各グループの代表的な液晶表示装置２０（以下、「グループ代表装置」という。）の色度座標とする（Ｓ９）。各グループ代表装置に対して調整目標座標（例えば、標準光源の白色度座標Ｄ６５（ｘ，ｙ）＝（０．３１２７，  ０．３２９０））になるように色補正を行い、その各補正パラメータとする。一般的に、入力されるＲ（赤）・Ｇ（緑）・Ｂ（青）の値がルックアップテーブルを用いて各Ｒ（赤）・Ｇ（緑）・Ｂ（青）に変換され、それぞれ出力されることで色補正を行うが、色度補正手段はこれに限定されることはない。グループ代表装置の色度座標とそれに関連した補正パラメータとを含む補正テーブルが生成され、記憶部１４に記憶される（Ｓ１０）。
【００４４】
図６は、補正テーブルの一例を示している。ここでは、グループ１のグループ代表装置の色度座標（ｘ、ｙ）＝（０．２９６６，０．３３９１）であり、補正パラメータ１と関連付けされている。また、グループ２のグループ代表装置の色度座標（ｘ、ｙ）＝（０．２９８８，０．３４３１）であり、補正パラメータ２と関連付けされている。また、グループ３のグループ代表装置の色度座標（ｘ、ｙ）＝（０．３０１７，０．３４７１）であり、補正パラメータ３と関連付けされている。
【００４５】
次に、標本となりえる台数分ストックしてある液晶表示装置２０の色度座標と補正テーブルにある各色度座標を比較し、距離が一番近い該当グループの補正パラメータを液晶表示装置２０に設定する（Ｓ１５→Ｓ１１→Ｓ１２）。再度、液晶表示装置２０の色度座標を測定し、調整する目標の色度座標と比べて要求される品質の距離未満になっているか検査し、良品であるか不良品であるか出荷検査する（Ｓ１３→Ｓ１４）。出荷検査は、調整するために測定した色と同じである必要はなく、良品か不良品か選別する条件も要求される品質の距離に限定されることはない。
【００４６】
次に、標本となりえる台数分ストックしてある液晶表示装置２０があるか判定する（Ｓ１５）。ストックしてある液晶表示装置２０があれば、次の液晶表示装置２０の調整を開始する（Ｓ１５→Ｓ１１→・・・）。
【００４７】
図７は、各補正パラメータを設定した結果のイメージ図である。ここでも、標本台数が２０台、グループ数が３である場合を例示し、要求される品質を点線で表している。この図に示すように、補正パラメータ設定後の液晶表示装置２０の色度座標（図中の四角印）は、いずれも、調整目標座標（図中の＋印）を中心とする１つの円の内部に収まる結果となった。すなわち、各液晶表示装置２０にそれぞれのグループに対応した補正パラメータを設定すると、調整目標値に対して要求された品質の液晶表示装置２０に調整することができる。
【００４８】
以上説明したように、本発明の実施の形態に係る調整方法は、液晶表示装置２０の製造上の特性バラツキを調整する調整方法であって、所定台数の液晶表示装置２０の製造上の特性バラツキを測定し、測定した特性バラツキをグループに分類し、分類した各グループの代表的な液晶表示装置２０の色補正手段を用いて補正パラメータを算出する補正パラメータ算出ステップと、液晶表示装置２０の製造時、当該液晶表示装置２０がどのグループに分類されるか特定し、特定したグループの補正パラメータを当該液晶表示装置２０に適用する調整ステップとを含む。これにより、液晶表示装置２０の製造上の特性バラツキの規則性に基づいて事前に補正パラメータを算出しておくことができるため、大量に液晶表示装置２０を製造する時の手間や時間を削減することが可能である。
【００４９】
具体的には、補正パラメータ算出ステップでは、液晶表示装置２０に特定の色の画像を表示させて光学センサー３０から三刺激値を取得し、取得した三刺激値に基づいて色度座標を測定し、測定した色度座標をグループに分類し、分類した各グループの中から代表的な液晶表示装置２０を特定し、特定した各グループの代表的な液晶表示装置２０の色補正手段を用いて補正パラメータをグループごとに算出する。これにより、三刺激値に基づいて補正パラメータをグループごとに算出することが可能となる。
【００５０】
また、補正パラメータ算出ステップでは、最小色度座標と最大色度座標を結んだ直線の距離をバラツキの範囲とし、そのバラツキの範囲を要求される品質の距離で割った整数を必要グループ数とし、その必要グループ数でバラツキの範囲を分割し、最小色度座標から最大色度座標を結ぶ線上にグループ数分の仮目標座標を設定し、各仮目標座標に最も近い色度座標を持つ液晶表示装置２０を各グループの代表的な液晶表示装置２０とする。これにより、現実の測定値に基づいて各グループの代表的な液晶表示装置２０を選定することが可能である。
【００５１】
また、補正パラメータ算出ステップは、事前に統計学上有効な所定台数の液晶表示装置２０についてだけ実施される。これにより、統計学上有効な標本台数を設定することができるため、効率よく且つ精度よく調整することが可能である。
【００５２】
なお、本発明は、液晶表示装置の調整方法として実現することができるだけでなく、この調整方法に含まれる各ステップを実行する調整装置として実現したり、それらのステップをコンピュータに実行させるプログラムとして実現することも可能である。
【符号の説明】
【００５３】
１０…調整装置
１１…色度座標測定部
１２…制御部
１２Ａ…調整部
１２Ｂ…補正パラメータ算出部
１３…入力部
１４…記憶部
２０…液晶表示装置
３０，３１，３２，３３…光学センサー
【図１】
2017146513.tif 000007
【図２】
2017146513.tif 000008
【図３】
2017146513.tif 000009
【図４】
2017146513.tif 000010
【図５】
2017146513.tif 000011
【図６】
2017146513.tif 000012
【図７】
2017146513.tif 000013